(57)【要約】      （修正有）【課題】フルーツ、ゼリー、ヨーグルト、魚、肉などの食品を幼児に与えるために用いることができる授食装置を提供する。【解決手段】授食装置は食品容器７を有する。食品容器７は開口端７１と閉口端７２とを有する。食品容器７の表面上に、複数の孔８と複数の凸状部とが配置される。食品容器７は食品用の弾性材料で形成されている。【選択図】図３０
0003177019.tif 000002
【実用新案登録請求の範囲】
【請求項１】
開口端と閉口端とを有する食品容器を備える授食装置であって、前記食品容器の表面上に複数の孔と複数の凸状部とが配置されており、前記食品容器は食品用の弾性材料で形成されている授食装置。
【請求項２】
請求項１に記載の授食装置であって、前記凸状部は、前記食品容器の外面および／または内面に形成されている授食装置。
【請求項３】
請求項１に記載の授食装置であって、前記孔は、直径約１ｍｍ〜約５ｍｍの円形である授食装置。
【請求項４】
請求項１に記載の授食装置であって、前記食品容器は、前記閉口端に近接する複数の孔と、前記閉口端から離間した複数の孔と、を備えており、前記閉口端に近接する孔の寸法は前記閉口端から離間した孔の寸法より小さい授食装置。
【請求項５】
請求項１に記載の授食装置であって、２つの隣接する孔の間の距離は約２ｍｍ〜約１０ｍｍである授食装置。
【請求項６】
請求項１に記載の授食装置であって、前記凸状部は２つの隣接する孔の間に形成されている授食装置。
【請求項７】
請求項１に記載の授食装置であって、前記食品用の弾性材料は、シリコーン、ラテックスおよびゴムからなる群から選択される授食装置。
【請求項８】
請求項１に記載の授食装置であって、前記食品容器は、概ね哺乳瓶の乳首の形状である授食装置。
【請求項９】
請求項１に記載の授食装置であって、前記食品容器の形状は、概ね幼児の口の形状に対応している授食装置。
【請求項１０】
請求項１に記載の授食装置であって、前記食品容器は、端部が丸められるよう断面において漸減する形状を有する授食装置。
【請求項１１】
請求項１に記載の授食装置であって、前記食品容器の厚さは約１ｍｍ〜約６ｍｍである授食装置。
【請求項１２】
開口端と閉口端とを有する食品容器であって、該食品容器の表面上に複数の孔と複数の凸状部とが配置されており、該食品容器は食品用の弾性材料で形成されている食品容器と、
前記容器の前記開口端と連通している開口部を備える第１連結部材であって、前記食品容器が前記第１連結部材と連結されている第１連結部材と、
前記第１連結部材と協働する第２連結部材であって、食品が前記開口部を通過して前記食品容器内へ入ることを可能にする開口した構成と、前記第２連結部材が前記第１連結部材の前記開口部をカバーして前記食品容器の前記開口端を封止する閉口した構成と、の間で移動可能な第２連結部材と、
を備える授食装置。
【請求項１３】
請求項１２に記載の授食装置であって、前記第２連結部材は食品搾り出しユニットを備えており、前記食品搾り出しユニットは該食品搾り出しユニット内の食品を前記食品容器へ向かってかつ前記食品容器内へと搾り出すよう用いられる授食装置。
【請求項１４】
請求項１３に記載の授食装置であって、前記食品搾り出しユニットは、押しつぶすことができる容器を備えている授食装置。
【請求項１５】
請求項１３に記載の授食装置であって、前記食品搾り出しユニットは中空の樽状部と押圧部材とを備えており、前記第２開口部は前記樽状部の一方の端部に配置されており、また第３開口部が前記樽状部の他方の端部に配置されており、前記押圧部材は前記樽状部の内部でスライド可能に移動できる授食装置。
【請求項１６】
請求項１３に記載の授食装置であって、さらに、前記第２連結部材と前記第１連結部材との間で配置され、前記食品容器内の食品が前記食品搾り出しユニットに戻るよう移動することを防止する中間部材を備える授食装置。
【請求項１７】
請求項１６に記載の授食装置であって、前記中間部材は少なくとも１つの閉塞板を有するケーシングを備えており、前記ケーシングは前記少なくとも１つの閉塞板が装着される中央空間を形成している授食装置。
【請求項１８】
請求項１７に記載の授食装置であって、前記中間部材は、前記ケーシングの中心を横切って延設される１つの閉塞板を備えている授食装置。
【請求項１９】
請求項１７に記載の授食装置であって、前記中間部材は、十字状に形成された２つの閉塞板を備えている授食装置。
【請求項２０】
請求項１７に記載の授食装置であって、前記中間部材は、アステリスク字状に形成された３つの閉塞板を備えている授食装置。
【考案の詳細な説明】
【技術分野】
【０００１】
本考案は、授食装置に関する。
【背景技術】
【０００２】
哺乳瓶は、ミルクや飲み物など液状食を収容して幼児に与えるために用いられている。しかしながら、梨、林檎などのカットフルーツの小片および野菜を収容して幼児に与えるのに適した授食装置は存在しない。フルーツ、ゼリー、ヨーグルト、魚、肉などの食品を幼児に与えるために用いることができる授食装置を提供する必要がある。
【考案の概要】
【０００３】
本考案の一の側面では、開口端と閉口端とを有する食品容器を備えた授食装置を提供する。食品容器の表面上に、複数の孔と複数の凸状部とが配置されている。食品容器は食品用の弾性材料で形成されている。凸状部を、食品容器の外面および／または内面に形成できる。
【０００４】
孔は、直径約１ｍｍ〜約５ｍｍの円形に設定することができる。
【０００５】
食品容器は、閉口端に近接する複数の孔と、前記閉口端から離間した複数の孔と、を有することができる。閉口端に近接する孔の寸法は閉口端から離間した孔の寸法より小さい。
【０００６】
２つの隣接する孔の間の距離は約２ｍｍ〜約１０ｍｍに設定することができる。
【０００７】
凸状部を２つの隣接する孔の間に形成できる。
【０００８】
食品用の弾性材料を、シリコーン、ラテックスおよびゴムからなる群から選択できる。
【０００９】
食品容器は、概ね哺乳瓶の乳首の形状に設定することができる。
【００１０】
食品容器の形状を、概ね幼児の口の形状と対応させることができる。
【００１１】
食品容器を、端部が丸められるよう断面において漸減させることができる。
【００１２】
食品容器の厚さは約１ｍｍ〜約６ｍｍに設定することができる。
【００１３】
他の側面では、授食装置は、食品容器と、第１連結部材と、第２連結部材と、を有する。食品容器は、開口端と閉口端とを有する。第１連結部材は、容器の開口端と連通している開口部を有する。食品容器が第１連結部材と連結されている。第２連結部材は、第１連結部材と協働し、食品が開口部を通過して食品容器内へ入ることを可能にする開口した構成と、第２連結部材が第１連結部材の開口部をカバーして食品容器の開口端を封止する閉口した構成と、の間で移動可能である。食品容器の表面上に、複数の孔と複数の凸状部とが配置されている。食品容器は食品用の弾性材料で形成されている。
【００１４】
第２連結部材は食品搾り出しユニットを有することができる。食品搾り出しユニットは食品搾り出しユニット内の食品を食品容器へ向かってかつ食品容器内へと搾り出すよう用いられる。
【００１５】
食品搾り出しユニットは、押しつぶすことができる容器を有することができる。
【００１６】
食品搾り出しユニットは中空の樽状部と押圧部材とを有することができる。第２開口部は樽状部の一方の端部に配置されており、また第３開口部が樽状部の他方の端部に配置されており、押圧部材は樽状部の内部でスライド可能に移動できる。
【００１７】
授食装置は、さらに、第２連結部材と第１連結部材との間で配置され、食品容器内の食品が食品搾り出しユニットに戻るよう移動することを防止する中間部材を有することができる。
【００１８】
中間部材は少なくとも１つの閉塞板を有するケーシングを有することができる。ケーシングは少なくとも１つの閉塞板が装着される中央空間を形成している。
【００１９】
中間部材は、ケーシングの中心を横切って延設される１つの閉塞板を有することができる。
【００２０】
中間部材は、十字状に形成された２つの閉塞板を有することができる。
【００２１】
中間部材は、アステリスク字状に形成された３つの閉塞板を有することができる。
【００２２】
本願に開示する授食装置の具体的な実施形態を添付の図面を参照して例示的に説明する。
【図面の簡単な説明】
【００２３】
【図１】授食装置の第１実施形態の分解組立図である。
【図２】授食装置の第２実施形態の分解組立図である。
【図３】授食装置の第３実施形態の分解組立図である。
【図４】授食装置の第３実施形態の斜視図である。
【図５】授食装置の第４実施形態の一部分解組立図である。
【図６】授食装置の第４実施形態の斜視図である。
【図７】授食装置の第５実施形態の一部分解組立図である。
【図７ａ】授食装置に配置された環状凸部の平面図である。
【図７ｂ】図７ａにおける環状凸部の線Ｘ−Ｘに沿って得られる断面図である。
【図８】授食装置の第５実施形態の斜視図である。
【図９】授食装置の第６実施形態の一部分解組立図である。
【図１０】授食装置の第６実施形態の斜視図である。
【図１１】図１０における授食装置の線Ａ−Ａに沿って得られる断面図である。
【図１２】授食装置の第７実施形態の斜視図である。
【図１３】授食装置の第８実施形態の斜視図である。
【図１４】授食装置の第９実施形態の斜視図である。
【図１５】授食装置の第１０実施形態の斜視図である。
【図１６ａ】授食装置の第１１実施形態の食品容器の斜視図である。
【図１６ｂ】図１６ａの食品容器に配置された凸部の平面図である。
【図１６ｃ】図１６ｂにおける凸部の線Ｙ−Ｙに沿って得られる断面図である。
【図１７】授食装置の第１２実施形態の一部分解組立図である。
【図１８】授食装置の第１３実施形態の斜視図である。
【図１９】授食装置の第１３実施形態の分解組立図である。
【図２０】授食装置の第１４実施形態の斜視図である。
【図２１】授食装置の第１４実施形態の分解組立図である。
【図２２】授食装置の第１５実施形態の斜視図である。
【図２３】授食装置の第１５実施形態の分解組立図である。
【図２４】授食装置の第１６実施形態の斜視図である。
【図２５】授食装置の第１７実施形態の斜視図である。
【図２６】授食装置の第１３実施形態の中間部材の斜視図である。
【図２７】授食装置の第１３実施形態の他の中間部材の斜視図である。
【図２８】授食装置の第１３実施形態のさらに他の中間部材の斜視図である。
【図２９】授食装置の食品吐出部材の第１実施形態の側面図である。
【図３０】図２９における食品吐出部材の線Ａ−Ａに沿って得られる断面図である。
【図３１】授食装置の食品吐出部材の第２実施形態の側面図である。
【図３２】図３１における食品吐出部材の線Ａ−Ａに沿って得られる断面図である。
【図３３】授食装置の食品吐出部材の第３実施形態の側面図である。
【図３４】図３３における食品吐出部材の線Ａ−Ａに沿って得られる断面図である。
【図３５】授食装置の食品吐出部材の第４実施形態の側面図である。
【図３６】図３５における食品吐出部材の線Ａ−Ａに沿って得られる断面図である。
【図３７】授食装置の食品吐出部材の第５実施形態の側面図である。
【図３８】図３７における食品吐出部材の線Ａ−Ａに沿って得られる断面図である。
【図３９】授食装置の食品吐出部材の第６実施形態の側面図である。
【図４０】図３９における食品吐出部材の線Ａ−Ａに沿って得られる断面図である。
【図４１】授食装置の第１８実施形態の斜視図である。
【図４２】授食装置の第１８実施形態の分解組立図である。
【図４３】授食装置の食品吐出部材の第７実施形態の側面図である。
【図４４】図４３における食品吐出部材の線Ａ−Ａに沿って得られる断面図である。
【図４５】授食装置の食品吐出部材の第８実施形態の側面図である。
【図４６】図４７における食品吐出部材の線Ａ−Ａに沿って得られる断面図である。
【図４７】授食装置の食品吐出部材の第９実施形態の側面図である。
【図４８】図４７における食品吐出部材の線Ａ−Ａに沿って得られる断面図である。
【図４９】授食装置の食品吐出部材の第１０実施形態の側面図である。
【図５０】図４９における食品吐出部材の線Ａ−Ａに沿って得られる断面図である。
【図５１】授食装置の食品吐出部材の第１１実施形態の側面図である。
【図５２】図５１における食品吐出部材の線Ａ−Ａに沿って得られる断面図である。
【図５３】授食装置の食品吐出部材の第１２実施形態の側面図である。
【図５４】図５３における食品吐出部材の線Ａ−Ａに沿って得られる断面図である。
【図５５ａ】授食装置の食品吐出部材の第１３実施形態の上面図である。
【図５５ｂ】図５５ａにおける食品吐出部材の線Ａ−Ａに沿って得られる断面図である。
【図５５ｃ】授食装置の食品吐出部材の第１３実施形態の前面図である。
【図５６ａ】授食装置の食品吐出部材の第１４実施形態の上面図である。
【図５６ｂ】図５５ａにおける食品吐出部材の線Ａ−Ａに沿って得られる断面図である。
【図５６ｃ】授食装置の食品吐出部材の第１４実施形態の前面図である。
【考案を実施するための形態】
【００２４】
次に、本願において開示する授食装置の好ましい実施形態を詳細に説明する。また、以下の説明に、その実施例を示す。本願において開示する授食装置の例示的な実施形態を詳細に説明するが、授食装置の理解に特に重要でないいくつかの特徴は簡略化のために示していないことは当業者には明らかであろう。
【００２５】
また、本願において開示する授食装置は、後述する詳細な実施形態に限定されず、添付の実用新案の範囲の精神あるいは範囲を逸脱することなく種々の変形および変更を当業者によってなしうることは、理解されよう。例えば、種々の例示的な実施形態のエレメントおよび／または特徴を、本開示および添付の実用新案請求の範囲内で、互いに組み合わせること、および／または互いと置き換えることもできる。
【００２６】
なお、明細書および実用新案の範囲を通じて、１つのエレメントが他のエレメントに「連結される」あるいは「接続される」場合、エレメントは他のエレメントに必ずしも固定し、留める、あるいは取り付けることを意味しない。それよりむしろ、単語「連結される」あるいは「接続される」は、あるエレメントが他のエレメントに直接的あるいは間接的に接続される、または他のエレメントとの機械的あるいは電気的な連絡状態にあること、を意味する。
【００２７】
図１は、授食装置の第１実施形態の分解組立図である。装置は、食品容器７と、第１連結部材５と、第２連結部材３と、を有する。食品容器７は、開口端７１と閉口端７２とを有する。第１連結部材５は、開口部５１を有している。食品容器７は、取り外し可能に第１連結部材５と係合することができる。食品容器７が第１連結部材５に連結される場合、食品容器７の開口端７１は、第１連結部材５の開口部５１と連通状態にある。食品を、第１連結部材の開口部５１および食品容器７の開口端７１を通して食品容器７内に入れることができる。第２連結部材３は第１連結部材５と協働することができるとともに、開いた構成と封止した構成との間で移動可能である。開いた構成においては、食品を、第１連結部材５の開口部５１および食品容器７の開口端７１を通して食品容器７内に入れることができる。封止した構成においては、第２連結部材３は、第１連結部材５の開口部５１をカバーし、これにより、食品容器７の開口端７１を封止する。
【００２８】
食品容器７には、複数の孔８が配置される。例示の実施形態では、食品容器７は、食品容器７の周囲３６０度に配置された複数の孔８を有する。孔８のサイズおよび形状を、孔８から出てくる食品がその食品を摂取する人ののどを詰まらせないように設計することができる。例示の実施形態では、孔８の形状は円形であり、直径を約１ｍｍから約５ｍｍとすることができる。孔８のサイズ、数および配置は、種々の設計および要求に応じて変更することができる。
【００２９】
食品容器７を、食品用途に適した柔らかい弾性材料で形成することができる。食品用途のこの柔らかい弾性材料は、食品用途のシリコーンあるいはラテックス、またはゴムあるいはポリ塩化ビニル（ＰＶＣ）を含むことができる。シリコーン材料は、無毒で、環境に優しく、耐摩耗性があり、高温および低温に耐性があり、経年変化が小さい。シリコーンで形成された製品は、より環境に優しく、より安全で、より耐久性が高い。食品容器７を、人が食品容器７を透かして容易に見ることを可能にし、容器７が満杯か空かどうか知ることを可能にする透明な柔らかい弾性材料で形成することができることを記載しておく。
【００３０】
通常は、食品容器７はその元の形状にあり、そして、食品は食品容器７の内部にとどまる。食品容器７が人の口の中に入れられ、人が食品容器７を噛む、食わえるあるいは吸うと、食品容器７は、食品（砕いた食品の小片、フルーツピューレ、搾りかす、ジュースなど）を孔８を通じてしみ出し通過させる外力によって変形する。食品容器７は、その力が解放されると食品容器７の復元力によりその元の形状に戻る。
【００３１】
食品容器７は、フルーツの小片、あるいはゼリー、ヨーグルト、野菜、肉、魚などの他の食品を収容するサイズおよび形状に形成することができる。食品容器７は、食わえる、吸う、あるいは噛む人の口の中に入れることができる。ジュースと搾りかすとを有するフルーツについては、フルーツジュースおよび搾りかすの小片を孔８を通じて人の口へ吸うことができるが、絞りかすのより大きな欠片は食品容器７の内部に残る。孔８が食品を食べる人の食道より小さいので、その人は孔８から出てくる食品によってのどを詰まらせることがないことになる。これにより、授食装置から食品を食べる人の安全を守ることができる。ピューレを有するが搾りかすのないフルーツについては、フルーツピューレを孔８を通じて人の口へと与えることができる。したがって、幼児すなわち赤ちゃんにフルーツなどの食品を食べさせるとともに、フルーツでのどを詰まらせるおそれなく幼児すなわち赤ちゃんに噛んで飲み込むことを教えるように、授食装置を用いることができる。授食装置は、幼児すなわち赤ちゃんに対して安全であり、用いるのに便利である。世話人が食品を与える前にフルーツからジュースを絞る必要がないからである。授食装置を用いることによって、幼児すなわち赤ちゃんは、容易に、新鮮なフルーツ（苺、林檎、梨など）、野菜、魚、肉などを食べることができる。
【００３２】
食品容器７が固形状態と液体状態とにある食品の混合物を含んでいる場合、液体は表面張力の影響で孔８に封止膜を形成することができる。したがって、容器７内部の食品は、容易に孔８を通って流出することができない。幼児すなわち赤ちゃんは、孔８を通じて食品を吸うよう吸引行為を行なう必要がある。これにより、口の周囲の筋肉を訓練することができるとともに幼児すなわち赤ちゃんの肺活量を訓練することができる。また、これにより、孔８を通る液体の漏れを防ぐことができ、授食装置から食品を食べる人の衣服が汚れることを防止することができる。もしも食品容器７がメッシュで作られている場合、メッシュの孔は弾力がなく、したがって、メッシュの孔に封止膜を形成するのは難しい。メッシュ上の孔が互いに接近していくにしたがって、メッシュの孔に封止膜を形成することはより難しくなる。本願における２つの孔８の間の距離は約２ｍｍから約１０ｍｍである。
【００３３】
図１に示すように、第１連結部材５および第２連結部材３を、合わせて連結することができる。例えば、第１連結部材５には環状凹部を配置することができ、第２連結部材３には環状凸部を配置することができる。環状凸部が環状凹部内へと押されるとき、封止した構成を形成することができる。環状凸部が環状凹部から引き出されるとき、開いた構成を形成することができる。もちろん、第１連結部材５および第２連結部材３を、ねじなど他の適当な連結機構によって合わせて連結することができる。
【００３４】
図２に示すように、授食装置に、第２連結部材３に接続されるハンドルアセンブリ１をさらに配置することができる。これにより、食品を食べる人が授食装置を掴むことが容易になる。これは、特に赤ちゃんや患者に対する、人の手の筋肉のトレーニングに役立つことができ、手、脳および口の連携に役立つことができる。この授食装置設計は、幼児すなわち赤ちゃんの食品を食べる自主性を実現させることができる。
【００３５】
授食装置は、また、食品容器７をカバーするキャップ９を有することができる。キャップ９は、外部環境から食品を隔離するよう機能する。キャップ９は、人が食べていないとき、食品が埃やゴミで汚れることを防止することができる。キャップ９を、第１連結部材５に取り外し可能に取り付けることができる。例示の実施形態に示すように、キャップ９を単純なスナップ嵌合（パチンと嵌る）機構によって第１連結部材５に取り付けることができる。キャップ９を、ねじなど他の適切な機構によって第１連結部材５に取り付けることができることは理解されよう。キャップ９の閉口端には、複数の支持エレメント９１を配置することができる。支持エレメント９１により、キャップ９が机などの平坦面上にしっかりと立つことができる。食品容器７に食品を満たすために、第１連結部材５にキャップ９を取り付けて、次に、キャップ９を支持エレメント９によって机に直立姿勢で置くことができる。これにより、片手であっても食品容器７を食品で満たすことが容易になる。キャップ９を、また、透明として、食品容器７内部の食品が見えるようにすることもできる。
【００３６】
図２に示すように、授食装置に、紐を結びつけることができる紐取り付けエレメント１０を配置することもできる。紐取り付けエレメント１０は、概ね、第２連結部材３に一体的に形成されたリングの態様に設定することができる。紐取り付けエレメント１０は、硬いプラスチック材料あるいは他の適当な材料で形成することができる。紐を結びつけるあるいは紐を紐取り付けエレメント１０に通すことができ、これにより、授食装置を人に吊すことができる。これにより、誤って授食装置を地面に落として、食品が汚れることを防止する。
【００３７】
食品容器７を、哺乳瓶の乳首の形状に形成することができる。これは、幼児すなわち赤ちゃんをなだめるおしゃぶりとして機能し、幼児すなわち赤ちゃんに食品を食べることを促す。食品容器７の閉口端を、幼児すなわち赤ちゃんの口の形状にほぼ対応する形状に形成することができる。これにより、幼児が口の中に食品容器７を入れることを容易にし、のどを詰まらせることなく食品容器７からフルーツジュース、ピューレあるいは搾りかすを吸うことを容易にする。
【００３８】
例示の実施形態では、食品容器７の開口端７１と、第１連結部材５および第２連結部材３の外面と、の形状は、概ね円形である。これにより、汚れを授食装置に閉じ込めることが防止され、授食装置の洗浄が容易になる。
【００３９】
授食装置に、また、封止した構成において授食装置の第１および第２連結部材５，３を固定するための固定機構を配置することができる。固定機構は、第１および第２連結部材５，３の間の封止を強化することができ、誤って第１連結部材５が第２連結部材３から外れ食品を落とすことを防止することができる。
【００４０】
図３および図４に例示する実施形態では、固定機構はヒンジ１７と留め具１８とを有することができる。第１および第２連結部材５，３の一方の側を、ヒンジ１７によって互いにヒンジ状に接続することができる。第１および第２連結部材５，３の反対側を、留め具１８によって合わせて固定することができる。留め具１８の一方の端部１８１を、第２連結部材３に可動に接続することができる。留め具１８の他方の端部１８３は、第１連結部材５に一体的に形成された対応する固定凸部との摩擦係合のための固定孔を有することができる。ヒンジ１７および留め具１８は構造において単純であり、第１および第２連結部材５，３の開閉を容易にすることができると考えられる。
【００４１】
図５および図６に例示する実施形態では、固定機構は２つの留め具１８，１８を有することができる。第１および第２連結部材５，３の２つの側を、それぞれ２つの留め具１８，１８によって合わせて固定することができる。
【００４２】
図７、図７ａ、図７ｂおよび図８に示すように、環状凸状部８１を、第１孔８の周囲の外面に一体的に形成することができる。凸状部８１は、歯肉をマッサージするのに用いることができ、乳歯が生えるときの不快を緩和でき、幼児すなわち赤ちゃんの歯肉や歯の成長や発育に役立つことができる。凸状部８１は、また、歯肉を強くし、噛む力を強化することができる。幼児あるいは赤ちゃんの好きな食品を食品容器７内に入れることができる。幼児あるいは赤ちゃんはその食品を食べたいと思い、その食品を食べている間に歯肉がマッサージされる。したがって、凸状部８１を有する授食装置は、従来の味がない乳歯を生えさせる装置と比較して、より有効な歯固めとして機能することができる。
【００４３】
本願の材料装置は、１つのハンドルアセンブリあるいは２つのハンドルアセンブリを有することができる。図９および図１０に示すように、授食装置のハンドルアセンブリ１は、ハンドルコア１３と、ハンドルパッド１４と、ハンドルスリーブ１１と、を有することができる。ハンドルコア１３を、第２連結部材３に取り付けることができる。ハンドルパッド１４を、滑り止めおよび外観上の効果を提供するために、ハンドルコア１３に固定することができる。例示の実施形態では、２つのハンドルパッド１４が、ハンドルコア１３の前部および後部にそれぞれ取り付けられている。あるいは、２つのハンドルパッド１４を、ハンドルコア１３の左側および右側にそれぞれ取り付けることもできる。ハンドルスリーブ１１をハンドルパッド１４の周囲に巻き付けることができる。ハンドルアセンブリ１は、さらに、複数の滑り止めストリップ１２を有することができる。ストリップ１２を、さらに滑り止めおよび外観上の効果を提供するために、ハンドルパッド１４に固定することができる。ハンドルパッド１４上のストリップ１２の数を種々の設計に応じて変更することができることは理解されよう。ハンドルスリーブ１１およびストリップ１２を柔らかいゴム、あるいはハンドルアセンブリ１を掴むことを容易にしハンドルアッセンブリ１を持つ人に対して心地よいフィーリングを生み出すことができる他の適当な材料で形成することができる。ハンドルコア１３およびハンドルパッド１４を、硬いプラスチックあるいは他の適当な材料で形成することができる。
【００４４】
図９乃至図１１に示すように、第２連結部材３は外側リング３３と、外側リング３３の上部をカバーするカバー３１と、を有することができる。外側リング３３およびカバー３１を、凹凸機構の相対的な回転によって合わせて連結することができる。例えば、凹凸機構は、外側リング３３およびカバー３１にそれぞれ形成された環状溝および環状凸部を有することができる。外側リング３３およびカバー３１を、また、ねじによって合わせて連結することもできる。あるいは、外側リング３３およびカバー３１を、１つの単一ピースとして一体的に形成することもできる。２つのハンドルコア１３を、カバー３１の２つの側にそれぞれ取り付けることができる。さらに、キャップ９を外側リング３３に連結することができる。
【００４５】
図３および図５の実施形態に示すように、径方向外側に延びる環状フランジ７３が食品容器７の開口端７１に配置される。封止した構成において、環状フランジ７３は、第１連結部材５の径方向内側に延びる環状の肩部すなわちプラットフォーム５４に載置されており、環状のプラットフォーム５４と第２連結部材３との間にクランプ可能である。開いた構成において、環状フランジ７３を、第１連結部材５の環状のプラットフォーム５４から取り外すことができる。これにより、授食装置の組み立ておよび洗浄を簡単かつ容易に設定することができる。食品容器７が柔らかい弾性材料で形成されているので、柔らかい弾力のある環状フランジ７３は、封止機能を有することができ、第１および第２連結部材５，３間の封止を強化できる。これにより、人、特に赤ちゃんが食べながら授食装置で遊んでいるとき、食品がこぼれることをさらに防止することができる。
【００４６】
図１２に示すように、食品容器７の開口端７１および第１連結部材５の形状は、概ね三角形にできる。３つの鋭角のそれぞれを丸くすることができる。図１３に示すように、食品容器７の開口端７１および第１連結部材５の形状は、概ね四角形にできる。角のそれぞれを丸くすることができる。これらの２つの授食装置設計は、衛生問題を引き起こすおそれのある非衛生的なデッドコーナーがなく、したがって洗浄するのが容易である。
【００４７】
図１４および図１５に示すように、環状フランジ７３および環状プラットフォーム５４の位置は、位置固定機構によって固定することができ、これにより、食品容器７が口の中にあるとき、人がハンドルを水平姿勢にある手で保持することができる。これにより、食べているとき、人がハンドルを快適に保持することができる。例示の実施形態では、位置固定機構は、環状フランジ７３に配置されたノッチ７５と、環状プラットフォーム５４に配置された対応する凸部５８と、を有することができる。もちろん、代わりに、ノッチを環状プラットフォーム５４に形成し、対応する凸部を環状フランジ７３に形成することもできることを記載しておく。
【００４８】
環状凸状部８１が孔８の周囲に形成されることを図示し説明したが、さらなる凸状部を食品容器７の外面の他のどこかに形成することができることは当業者に理解されよう。
【００４９】
図１６は、食品容器７の周囲に形成された複数の孔８と、食品容器７の閉口端に一体的に形成された複数の凸状部８１と、を有する食品容器７を示す。孔８は食品を与えるために用いられ、凸状部８１は赤ちゃんすなわち幼児の歯肉をマッサージするために用いられる。図示の実施形態では、図１６ｂおよび図１６ｃに示すように、凸状部８１は半円形状である。食品容器７のこれらの凸状部８１の形状、サイズおよび配置を、異なるデザインに応じて変更できることは理解されよう。
【００５０】
孔８の形状を円形として図示し説明したが、孔８を他の適切な形状にできることは理解されよう。
【００５１】
図１７〜図２１に示すように、授食装置は、食品容器７と、第１連結部材５と、第２連結部材３と、を有することができる。食品容器７は、開口端７１と閉口端７２とを有する。第１連結部材５は、開口部５１を有している。食品容器７を、取り外し可能に第１連結部材５と連結することができる。食品容器７が第１連結部材５に連結される場合、食品容器７の開口端７１は、第１連結部材５の開口部５１と連通状態にある。食品を、第１連結部材５の開口部５１および食品容器７の開口端７１を通して食品容器７内に入れることができる。第２連結部材３は第１連結部材５と協働することができるとともに、開いた構成と封止した構成との間で移動可能である。開いた構成においては、食品を、第１連結部材５の開口部５１および食品容器７の開口端７１を通して食品容器７内に入れることができる。封止した構成においては、第２連結部材３は、第１連結部材５の開口部５１をカバーし、これにより、食品容器７の開口端７１を封止する。
【００５２】
食品容器７には、複数の孔８が配置される。例示の実施形態では、食品容器７は、食品容器７の周囲に配置された複数の孔８を有する。
【００５３】
第２連結部材３は、本体３６と食品搾り出しユニット３５とを有することができる。本体３６を第１連結部材５と連結することができる。本体３６は通路３６１を形成する。食品搾り出しユニット３５は本体３６に装着可能である。食品搾り出しユニット３５は一方の端部に第２開口部３５１を有する。食品搾り出しユニット３５は、その内部の食品を、第２開口部３５１と本体３６の通路３６１と第１連結部材５の開口部５１と食品容器７の開口端７１とを通じて、食品容器７へ向かってかつ食品容器７内へと搾り出すよう用いられる。
【００５４】
第２連結部材３を本体３６および食品搾り出しユニット３５と分割できるので、より大きな食品搾り出しユニット３５を製造することができる。食品容器７内の食品を消費するとき、ユーザー（親または幼児を含む）は、食品を食品搾り出しユニット３５から食品容器７へ向かってかつ食品容器７内へと搾り出すことができ、授食プロセスを続けることができる。これにより、アウトドアでの授食をしやすくし、また食物を食べる喜びを高める。
【００５５】
食品搾り出しユニット３５は、食品搾り出しユニット３５の外面が押されると、食品を絞り出すよう押しつぶすことができる容器の態様に設定することができる。食品搾り出しユニット３５が押されると、内部の食品が、食品搾り出しユニット３５の第２開口部３５１と本体３６の通路３６１と第１連結部材５の開口部５１と食品容器７の開口端７１とを通じて、食品容器７内へと通過する。食品搾り出しユニット３５を、食品用の弾性材料で形成できる。弾性材料は、食品用のシリコーン、ラテックスあるいはゴムを備えることができる。
【００５６】
本体３６の一方をヒンジ１７によって第１連結部材５に接続することができる。また、本体３６の他方を留め具１８によって第１連結部材５に取り外し可能に接続することができる。食品容器７の開口端７１、第１連結部材５、第２連結部材３の本体３６、食品搾り出しユニット３５の第２開口部３５１は、円形状の外形を有することができ、これにより、授食装置の洗浄を容易にできる。授食装置には非衛生的なデッドコーナーがないからである。
【００５７】
図１９および図２１に例示するように、授食装置は、本体３６と第１連結部材５との間に位置する中間部材６を有することができる。中間部材６は、食品容器７内の食品が食品搾り出しユニット３５に戻るよう移動することを防止するよう用いられる。図２６に例示する実施形態では、中間部材６はケーシング６１と２つの閉塞板６３とを有することができる。ケーシング６１は中央空間を形成しており、中央空間内には２つの閉塞板６３が十字状を形成している。２つの閉塞板６３は、食品容器７内の食品を遮るよう機能して、食品搾り出しユニット３５に戻るよう移動することを防止する。しかしながら、食品搾り出しユニット３５が押されると、食品搾り出しユニット３５内の圧力が増加し、食品容器７に向かってそして食品容器７内へと食品を押し込むことを意図している。
【００５８】
閉塞板６３の数を必要に応じて変更できることは理解されよう。例えば、図２７では、１つの閉塞板６３のみがケーシング６１の中心を横切って延設される。図２８に例示するように、３つの閉塞板６３がアステリスク字状に形成される。
【００５９】
さらなる実施形態において図２０に示す通り、本体３６の一方を１つの留め具１８によって第１連結部材５に接続することができる。また、本体３６の他方を他の留め具１８によって第１連結部材５に取り外し可能に接続することができる。
【００６０】
図１７〜図２１に例示する実施形態では、授食装置は位置固定機構を有することができる。食品容器７の環状フランジ７３の位置を、第１連結部材５の環状のプラットフォーム５４に対して位置固定機構によって固定することができる。これにより、食品容器７を口に入れている間、食品搾り出しユニット３５を水平姿勢に保持することができる。これにより、食べている間、ハンドルを快適に保持することができる。位置固定機構は、環状フランジ７３に配置されたノッチ７５と、環状プラットフォーム５４に配置された対応する凸部５８と、を有することができる。もちろん、代わりに、ノッチを環状プラットフォーム５４に形成し、対応する凸部を環状フランジ７３に形成することもできることを記載しておく。
【００６１】
他の実施形態において図２２および図２３に示すように、食品搾り出しユニットは樽状部３７と押圧部材３８とを有することができる。樽状部３７は、中空であり、一方の端部に第２開口部３７１を他方の端部に第３開口部３７２を有する。押圧部材３８は、樽状部３７の内側でスライド可能に移動できる。樽状部３７を本体３６に接続することができる。食品を樽状部３７内に入れることができる。押圧部材３８を大きな圧力で食品容器７に向かって押圧して、樽状部内の食品を食品容器７に向かって移動させることができる。食品容器７の開口端７１、第１連結部材５、第２連結部材３の本体３６、樽状部３７の第２開口部３７１および第３開口部３７２、そして押圧部材３８は円形状の外形を有することが見てわかるであろう。図２２および図２３に示す授食装置はさらに中間部材６を有することができる。
【００６２】
図２４に示すように、食品容器７の開口端７１、第１連結部材５、第１および第２連結部材の本体３６、食品搾り出しユニット３５の第２開口部３５１は、概ね三角形状の外形を有することができる。三角形状の外形の３つの鋭角は丸くすることができる。
図２５に示すように、食品容器７の開口端７１、第１連結部材５、第１および第２連結部材の本体３６、食品搾り出しユニット３５の第２開口部３５１は、概ね長方形状の外形を有することができる。
【００６３】
長方形状の外形の４つの角は丸くすることができる。これらの２つの授食装置設計は、衛生問題を引き起こすおそれのある非衛生的なデッドコーナーがなく、洗浄するのが容易である。
【００６４】
必要に応じて、凸状部８１は、食品容器７の外面上のどの位置にも配置可能である。図１６に示すように、凸状部８１は、食品容器７の閉口端の下部に形成される。また、凸状部８１を隣接する孔８の間で形成できる。上述の実施形態を、異なる位置に凸状部８１を有する食品容器７に適用できる。
【００６５】
中間部材６は、本願に開示する授食装置に不可欠な特徴ではない。必要に応じて、中間部材６を授食装置に配置してもよくあるいは配置しなくてもよい。また、位置固定機構は授食装置に不可欠な特徴ではない。必要に応じて、位置固定機構を授食装置に配置してもよくあるいは配置しなくてもよい。３種類の食品容器７を授食装置に配置できる。すなわち（ｉ）凸状部のない食品容器７と、（ｉｉ）外面上に凸状部が形成された備えた食品容器７と、（ｉｉｉ）隣接する第１孔の間に凸状部が形成された備えた食品容器７と、である。
【００６６】
図４１および図４２に示すように、授食装置は、食品容器７と、第１連結部材５と、第２連結部材３と、を有することができる。食品容器７は、開口端７１と閉口端７２とを有する。第１連結部材５は、開口部５１を有している。食品容器７を、取り外し可能に第１連結部材５と連結することができる。食品容器７が第１連結部材５に連結される場合、食品容器７の開口端７１は、第１連結部材５の開口部５１と連通状態にある。第２連結部材３は第１連結部材５と協働することができるとともに、開いた構成と封止した構成との間で移動可能である。食品容器７には複数の孔８を配置できる。第２連結部材３は、ミルクボトルの態様に設定することができる。
【００６７】
図４１および図４２において、ミルクボトルは、第１連結部材５に螺合によって接続できる。ミルクボトルが第１連結部材５にねじ締めされると、それらの間に封止構成を形成できる。ミルクボトルがねじを緩めて第１連結部材５から外されると、開口構成が形成される。ミルクボトルと第１連結部材５とを、留め具のような他の適切な機構によって互いに接続できることは理解されよう。ユーザーは、食品（シロップ、米シリアル、ポリッジ等のような）をミルクボトルに入れて、食品容器７を赤ちゃんあるいは幼児に与えることができる。
【００６８】
外側に延設される環状フランジ７３は、食品容器７の開口端７１に配置される。封止した構成において、環状フランジ７３は、第１連結部材５の径方向内側に延びる環状の肩部すなわちプラットフォーム５４に載置されており、環状のプラットフォーム５４と第２連結部材３との間にクランプ可能である。開いた構成において、環状フランジ７３を、第１連結部材５の環状のプラットフォーム５４から取り外すことができる。
【００６９】
食品容器７を弾性材料で形成できる。食品容器７の外面および／または内面には凸状部８１を配置できる。凸状部８１を第１孔の周囲に形成できる。凸状部を２つの隣接する第１孔の間に形成することもできる。孔８は、直径約１ｍｍ〜５ｍｍの円形に設定することができる。少なくとも２つの孔８を配置できる。閉口端に近接する第１孔の寸法は閉口端から離間した第１孔の寸法より小さくできる。２つの孔８の間の距離は約２ｍｍ〜約１０ｍｍである。
【００７０】
授食装置の食品吐出部材（上述の実施形態における食品容器）を次に詳細に説明する。図２９〜図４０に示すように、授食装置の食品吐出部材は、食品用の弾性材料で形成される食品容器７を有する。食品容器７は開口端部７１と閉口端部７２とを有することができる。食品容器７の表面には孔８と凸状部８１とを配置できる。
【００７１】
凸状部８１は、歯肉をマッサージするのに用いることができ、乳歯が生えるときの不快を緩和でき、幼児すなわち赤ちゃんの歯肉や歯の成長や発育に役立つことができる。凸状部８１は、また、歯肉を強くし、噛む力を強化することができる。授食プロセスの際に、幼児あるいは赤ちゃんの唾液は、孔８を通じて食品容器７内に入ることができ、（食品を消化し）食品の授食および消化を促進することができる。幼児あるいは赤ちゃんの好きな食品を食品容器７内に入れることができる。幼児あるいは赤ちゃんはその食品を食べたいと思い、その食品を食べている間に歯肉がマッサージされる。したがって、凸状部８１を有する授食装置は、従来の味がない乳歯を生えさせる装置と比較して、より有効な歯固めとして機能することができる。
【００７２】
本願における食品吐出部材を、咀嚼行為に必要な条件や環境（唾液など）を完全に提供できるチューイングコンテナ（噛む容器）に形成することができる。赤ちゃんは、積極的に食品を食べることができ、これにより脳の初期発達を促すことができる。食品容器７が弾性材料で形成されているので、原形と柔軟性を維持することができ、これにより元の食品収容空間を維持し、そして食品容器内の食品を噛むことができる。噛むための空間を提供できる。授食装置の既存の食品吐出部材（メッシュなど）は、赤ちゃんに受け身で飲み込ませることができるだけである。赤ちゃんに食品を食べさせることができず、ましてや赤ちゃんに噛むことを促すことはできない。
【００７３】
孔８の形状を必要に応じて変更できる。例えば、孔８は、円、正方形あるいは三角形などの形状を有することができる。孔８の寸法を、食品の流れの量および速さを制御するように必要に応じて変更できる。第１孔８が円形状である場合、その直径を約１ｍｍ〜約５ｍｍに設定することができる。
【００７４】
孔８の数は、食品消費の必要性や速さに応じて調整できる。食品容器７は通常少なくとも２つの第１孔を有する。例えば、食品容器７は１０個の孔あるいは２０個の第１孔を有することができる。同時に、孔８の間の距離は、食品消費の必要性や速さに応じて調整できる。通常、２つの孔８の間の距離は約２ｍｍ〜約１０ｍｍである。例えば、２つの孔８の間の距離は、２ｍｍ、４ｍｍ、６ｍｍあるいは１０ｍｍに設定することができる。
【００７５】
食品容器７の厚さを、赤ちゃんあるいは幼児の噛む力の必要に応じて調整することができる。例えば、食品容器の厚さを約１ｍｍ〜約６ｍｍに設定することができる。これは、食べることを学習している赤ちゃんに非常に適している。
【００７６】
図２９〜図４０に示すように、食品容器７は、従来のミルクボトルの乳首の、あるいはミルクボトルの平坦な乳首の形状に設定することができる。食品容器７は、端部が丸められるよう漸減している。食品容器７の形状を、概ね幼児の口の形状と対応させることができる。これらの食品容器のデザインは、赤ちゃんの授食をしやすくし、赤ちゃんが食物を食べることを促すことができる。食品容器７を他の要求を満たすよう他の形状に設定することができることは理解されよう。
【００７７】
食品容器７を耐久性のある材料で形成でき、この場合繰り返し使用することができる。食品容器７を色のある材料で形成でき、この場合、赤ちゃんや幼児の好奇心を引きつけて、食品を消費させることを促すことができる。食品容器７を、食品容器７を透かして容易に見ることを可能にし、容器７が満杯か空かどうか知ることを可能にする透明な弾性材料で形成することができる。
【００７８】
食品容器７を、食品用途に適した柔らかい弾性材料で形成することができる。食品用途のこの柔らかい弾性材料は、食品用途のシリコーンあるいはラテックス、またはゴムあるいはポリ塩化ビニル（ＰＶＣ）を含むことができる。シリコーン材料は、無毒で、環境に優しく、耐摩耗性があり、高温および低温に耐性があり、経年変化が小さい。シリコーンで形成された製品は、より環境に優しく、より安全で、より耐久性が高い。
【００７９】
赤ちゃんや幼児が授食の際に触れて感じることができる限り、凸状部８１を食品容器７のどの位置に形成してもよい。例えば、図３４および図３６では、凸状部８１は食品容器７の外面に形成されている。図３０および図３８に示すように、凸状部８１は食品容器７の内面に形成されている。食品容器７が比較的柔軟な弾性材料で形成されているので、赤ちゃんや幼児は凸状部を感じることができ、たとえ凸状部が食品容器７の内面に形成されていても歯肉をマッサージするよう凸状部を使用することができる。赤ちゃんや幼児が、食品容器７の対向する両側が互いに接触するよう食品容器７を噛むと、凸状部８１の感触はさらに強くなる。凸状部８１が食品容器の内面に形成される場合、赤ちゃんや幼児は、凸状部８１がより柔軟であると、そして歯肉マッサージの際により快適であると、感じることができる。
【００８０】
図３２および図４０に示すように、凸状部８１を、食品容器の外面と内面の両方に形成することができる。図２９〜図４０に示すように、凸状部８１を孔８の周囲に形成することができる。図４３〜図４６および図５１〜図５４に示すように、凸状部８１を隣接する孔８の間に形成することができる。図４３、図４４、図５１および図５２に示すように、凸状部８１を、隣接する孔８の間の食品容器７の外面に形成することができる。図４５、図４６、図５３および図５４に示すように、凸状部を、隣接する孔８の間の食品容器７の内面に形成することができる。図１６に示すように、凸状部８１を、食品容器７の閉口端部７２の下部に形成することができる。
【００８１】
孔８の寸法を変化させることもできる。例えば、閉口端に近接する孔の寸法は閉口端から離間した孔の寸法より小さい。例えば、孔が円形状である場合、閉口端部に近接する孔の直径は１ｍｍに設定することができ、閉口端から離間した孔の寸法を１ｍｍより大きくできる。これにより、食品容器７内の液体が漏れることを防止することができ、これにより食品容器７内にジュースを含む食品を入れることができる。。
【００８２】
食品容器７の寸法を必要に応じて調整することができる。一の態様において、例えば、食品容器７の厚さを約１．２ｍｍに設定することができる。開口端７１の環状フランジ７３の内部径は２０．６ｍｍであり、外径は３３．５ｍｍである。環状フランジ７３の厚さは２ｍｍに設定することができる。環状フランジ７３のノッチ７５の幅は３ｍｍに設定することができる。２つの対向するノッチ７５間の距離は２７．２５ｍｍである。食品容器７の高さは３８．７５ｍｍに設定することができ、幅は３２．９６ｍｍに設定することができる。孔８の直径は２ｍｍである。図５５ａ、図５５ｂおよび図５５ｃにおける実施形態において示すように、食品容器７の厚さは１．２ｍｍである。開口端７１の環状フランジ７３の内部径は２０．６ｍｍであり、外径は３３．５ｍｍである。環状フランジ７３の厚さは２ｍｍに設定することができる。環状フランジ７３のノッチ７５の幅は３ｍｍに設定することができる。２つの対向するノッチ７５間の距離は２７．２５ｍｍである。食品容器７の高さは３８．７５ｍｍに設定することができ、幅は３２．９６ｍｍに設定することができる。孔８の直径は２ｍｍである。図５６ａ、図５６ｂおよび図５６ｃにおける実施形態において示すように、食品容器７の厚さは１．３５ｍｍである。開口端７１の環状フランジ７３の内部径は２０．３ｍｍであり、外径は３３．５ｍｍである。環状フランジ７３の厚さは２ｍｍに設定することができる。環状フランジ７３のノッチ７５の幅は３ｍｍに設定することができる。２つの対向するノッチ７５間の距離は２７．２５ｍｍである。食品容器７の高さは３８．７５ｍｍに設定することができ、幅は２３ｍｍに設定することができる。孔８の直径は１．５ｍｍである。
【００８３】
本願の授食装置は、食品容器によって食品の授食を容易にできる。食品が食品容器から簡単に漏れることがないように、食品の流れる速さを孔によって制御することができる。従来の授食装置と比較して、本願の授食装置はより清潔で、衛生的で、使いやすい。フォーク、ナイフおよびスプーンのような他の台所用品は授食に必要ではない。授食装置を、赤ちゃんや幼児だけでなく、身体障害者、高齢者および病気の人々によって使用することもできる。本願の授食装置は、無重力の宇宙環境においても使用することができる。食品を食品容器内に留めることができ、食物を食べる際、確実に清潔にできる。
【００８４】
異なる授食装置と協働して異なる食品容器を使用することができることは当業者には理解されよう。
【００８５】
本願において開示した授食装置をいくつかの好ましい実施形態を特に参照して示し、説明したが、添付の実用新案請求の範囲から逸脱することなく種々の変形および変更を行うことができることを述べておく。
【図１】
0003177019.tif 000003
【図２】
0003177019.tif 000004
【図３】
0003177019.tif 000005
【図４】
0003177019.tif 000006
【図５】
0003177019.tif 000007
【図６】
0003177019.tif 000008
【図７】
0003177019.tif 000009
【図７ａ】
0003177019.tif 000010
【図７ｂ】
0003177019.tif 000011
【図８】
0003177019.tif 000012
【図９】
0003177019.tif 000013
【図１０】
0003177019.tif 000014
【図１１】
0003177019.tif 000015
【図１２】
0003177019.tif 000016
【図１３】
0003177019.tif 000017
【図１４】
0003177019.tif 000018
【図１５】
0003177019.tif 000019
【図１６ａ】
0003177019.tif 000020
【図１６ｂ】
0003177019.tif 000021
【図１６ｃ】
0003177019.tif 000022
【図１７】
0003177019.tif 000023
【図１８】
0003177019.tif 000024
【図１９】
0003177019.tif 000025
【図２０】
0003177019.tif 000026
【図２１】
0003177019.tif 000027
【図２２】
0003177019.tif 000028
【図２３】
0003177019.tif 000029
【図２４】
0003177019.tif 000030
【図２５】
0003177019.tif 000031
【図２６】
0003177019.tif 000032
【図２７】
0003177019.tif 000033
【図２８】
0003177019.tif 000034
【図２９】
0003177019.tif 000035
【図３０】
0003177019.tif 000036
【図３１】
0003177019.tif 000037
【図３２】
0003177019.tif 000038
【図３３】
0003177019.tif 000039
【図３４】
0003177019.tif 000040
【図３５】
0003177019.tif 000041
【図３６】
0003177019.tif 000042
【図３７】
0003177019.tif 000043
【図３８】
0003177019.tif 000044
【図３９】
0003177019.tif 000045
【図４０】
0003177019.tif 000046
【図４１】
0003177019.tif 000047
【図４２】
0003177019.tif 000048
【図４３】
0003177019.tif 000049
【図４４】
0003177019.tif 000050
【図４５】
0003177019.tif 000051
【図４６】
0003177019.tif 000052
【図４７】
0003177019.tif 000053
【図４８】
0003177019.tif 000054
【図４９】
0003177019.tif 000055
【図５０】
0003177019.tif 000056
【図５１】
0003177019.tif 000057
【図５２】
0003177019.tif 000058
【図５３】
0003177019.tif 000059
【図５４】
0003177019.tif 000060
【図５５ａ】
0003177019.tif 000061
【図５５ｂ】
0003177019.tif 000062
【図５５ｃ】
0003177019.tif 000063
【図５６ａ】
0003177019.tif 000064
【図５６ｂ】
0003177019.tif 000065
【図５６ｃ】
0003177019.tif 000066